(57)【特許請求の範囲】
【請求項１】
遮蔽材の自動移動に伴って従動するボールチェーンによって回転抵抗体に対して入力回転が加えられるように構成される、遮蔽装置。
【請求項２】
前記遮蔽装置は、引張コードの支持側と操作側が前記ヘッドボックスから導出され、前記引張コードの前記操作側の操作によって前記引張コードの前記支持側の導出長を変化させて前記遮蔽材を昇降させる遮蔽装置であって、
前記回転抵抗体は、前記引張コードに設けられた前記ボールチェーンによって前記入力回転が加えられるように構成される、請求項１に記載の遮蔽装置。
【請求項３】
前記遮蔽装置は、操作プーリーに掛装されたループ状の操作コードを操作することによって前記遮蔽材を開閉させる遮蔽装置であって、
前記操作コードは、前記自動移動に伴って周回移動するように構成され、
前記回転抵抗体は、前記操作コードに設けられた前記ボールチェーンによって前記入力回転が加えられるように構成される、請求項１に記載の遮蔽装置。
【発明の詳細な説明】
【技術分野】
【０００１】
この発明は、遮蔽装置に関するものである。
【背景技術】
【０００２】
横型ブラインドの中には、引張コードの支持側の端部がボトムレールに取着され、引張コードの操作側の操作によってヘッドボックスからの引張コードの導出長を変化させてボトムレールを昇降させる構成のものがある。
【０００３】
このような横型ブラインドにおいては、通常、ヘッドボックス内には、ボトムレールが自重下降しないように引張コードを保持するストッパ部が設けられており、引張コードの操作側の操作によってストッパ部でのロック状態を解除して、ボトムレールを自重下降させる。
【０００４】
このような横型ブラインドでは、ストッパ部でのロック状態を解除した状態で引張コードから手を離すと、ボトムレールが下限位置まで勢いよく落下して騒音を発生させることがある。
【０００５】
このような問題を解消させるために、特許文献１では、ヘッドボックス内に配置されたドラムに３本の昇降コードをそれぞれ巻きつけ、ボトムレールの下降に伴ってドラムを回転させて回転抵抗を生じさせることによって、ボトムレールの下降速度を低減させている。
【先行技術文献】
【特許文献】
【０００６】
【特許文献１】実開昭５６−７００９４号公報
【発明の開示】
【発明が解決しようとする課題】
【０００７】
しかし、特許文献１の構成では、昇降コードをドラムに巻きつけてることによってドラムを回転させているために、昇降コードがドラムに対して滑ってしまってドラムが回転しない場合があるという問題がある。
【０００８】
本発明はこのような事情に鑑みてなされたものであり、遮蔽材の下降速度を確実に低減することができる遮蔽装置を提供するものである。
【課題を解決するための手段】
【０００９】
本発明によれば、遮蔽材の自動移動に伴って従動するボールチェーンによって回転抵抗体に対して入力回転が加えられるように構成される、遮蔽装置が提供される。
【００１０】
本発明の遮蔽装置は、ボールチェーンによって回転抵抗体に対して入力回転が加えられるように構成されている。ボールチェーンは、ベースコードに沿って設けられた多数のボールが回転抵抗体に直接係合されるか、又は前記回転抵抗体と一体回転する別の回転体（例：回転伝達プーリー）に係合されることによって回転抵抗体に入力回転を加えて回転抵抗を発生させるので、ボールチェーンの滑りによって回転抵抗体に入力回転が加えられないことがない。従って、本発明によれば、遮蔽材の下降速度を確実に低減することができる。
【００１１】
なお、本発明において、「遮蔽装置」としては、以下のものが例示される。何れの場合も、遮蔽材の自動移動に伴って従動するボールチェーンが設けられており、このボールチェーンによって回転抵抗体に入力回転が加えられるように構成される。
・横型ブラインド、プリーツスクリーン、ハニカムシェード、たくし上げカーテンなどの、昇降コードを用いて遮蔽材を昇降させる遮蔽装置。昇降コード又はこれに接続されたコードを引っ張ることによって遮蔽材を昇降させる紐引き式であってもよく、操作プーリーに掛装されたループ状の操作コードを周回させることによって遮蔽材を昇降させる巻取式であってもよい。
・スクリーン（遮蔽材）を吊下支持し且つスクリーンの巻取り及び巻戻しを行うことによって遮蔽材を昇降させる自重下降式又は自動上昇式のロールブラインド。自動上昇式のロールブラインドでは、例えば巻取パイプに内蔵したスプリングモータの付勢力によって巻取パイプを回転させることによってスクリーンの巻き取りが行われる。
・カーテンレール、縦型ブラインド、パネルスクリーン、アコーディオンカーテンなどの、遮蔽材をレールに沿って移動させることによって遮蔽材を開閉させる横移動型遮蔽装置。操作紐を引っ張ることによって遮蔽材を開閉させる紐引き式であってもよく、操作プーリーに掛装したループ状の操作コードを周回させることによって遮蔽材を開閉させる形式であってもよい。
【００１２】
なお、本発明において、「自動移動」としては、以下のものが例示される。
・自重下降式の遮蔽装置における自重下降（重力によるボトムレールや遮蔽材の自然落下）
・スプリングアシスト式の遮蔽装置における自動上昇（下方移動により蓄勢された付勢力による上昇方向への自動上昇）
・スプリング又は錘などの付勢手段によって遮蔽材を横移動型遮蔽装置のハンガーレールに沿って移動させる自動開閉（一方向へ移動させることより蓄勢された付勢力による他方向への自動移動）
・ハンガーレールを傾斜させることによって遮蔽材を横移動型遮蔽装置のハンガーレールに沿って移動させる自動開閉
【００１３】
本発明が適用される遮蔽装置には、通常、遮蔽材の自動移動を阻止するストッパが設けられており、遮蔽材を自動移動させないときにはストッパを作動させておき、ストッパの作動を解除することによって遮蔽材を自動移動させることができる。
【００１４】
以下、本発明の種々の実施形態を例示する。以下に示す実施形態は互いに組み合わせ可能である。
好ましくは、前記遮蔽装置は、引張コードの支持側と操作側が前記ヘッドボックスから導出され、前記引張コードの前記操作側の操作によって前記引張コードの前記支持側の導出長を変化させて前記遮蔽材を昇降させる遮蔽装置であって、前記回転抵抗体は、前記引張コードに設けられた前記ボールチェーンによって前記入力回転が加えられるように構成される。
好ましくは、前記遮蔽装置は、操作プーリーに掛装されたループ状の操作コードを操作することによって前記遮蔽材を開閉させる遮蔽装置であって、前記操作コードは、前記自動移動に伴って周回移動するように構成され、前記回転抵抗体は、前記操作コードに設けられた前記ボールチェーンによって前記入力回転が加えられるように構成される。
【図面の簡単な説明】
【００１５】
【図１】本発明の第１実施形態の横型ブラインドを示す正面図である。
【図２】図１の横型ブラインドの右上部分の拡大図である。
【図３】図１から引張コード１９及びその関連部材を抜き出して模式化した模式図であり、（ａ）はボトムレール４が下限位置にある状態を示し、（ｂ）は引張コード１９の操作側１９ｏが引き下げられてボトムレール４が上昇した位置にある状態を示す。
【図４】（ａ）は図１中の操作棒８、支持ケース１１、及びコードイコライザ１０を示し、操作棒８及び支持ケース１１については、支持ベース１１ａとカバー１１ｂの当接面を通る断面を示している。（ｂ）は（ａ）の状態からコードイコライザ１０を引き下げた状態を示す。
【図５】（ａ）は図４（ａ）の支持ケース１１の部分の、ベースコード１２ａの中央を通る断面図である。（ｂ）〜（ｃ）は、（ａ）中のＡ−Ａ断面図であり、（ｂ）はベースコード１２ａがコード挿通溝１４ｂ内に配置されている状態を示し、（ｃ）は昇降コード９がコード挿通溝１４ｂ内に配置されている状態を示す。
【図６】（ａ）は支持ベース１１ａ及びその内部の部品を示す斜視図であり、（ｂ）は（ａ）の分解斜視図である。
【図７】図６（ｂ）の状態を別の角度から見た分解斜視図である。
【図８】横型ブラインド３０に隣接した壁面に固定的に設置された窓枠２５に回転抵抗体１５を支持させる構成を示す斜視図である。
【図９】（ａ）〜（ｂ）は、本発明の第２実施形態の横型ブラインドでの、ボトムレール４が下限位置付近にまで下降した状態での、図４（ａ）に対応する図面である。（ａ）及び（ｂ）は、それぞれ、ボールを配置しない領域Ｒが回転伝達プーリー１４を通過する前の状態及び通過した後の状態を示す。
【図１０】（ａ）〜（ｂ）は、図９（ａ）〜（ｂ）に対応しており、（ａ）は、ボトムレール４が下限近傍まで降下した状態を示し、（ｂ）は、（ａ）の状態からボトムレール４が領域Ｒに対応した距離だけ下降して下限に到達した状態を示す。
【図１１】本発明の第３実施形態の横型ブラインドでの、ボトムレール４が下限位置付近にまで下降した状態での、図４（ａ）に対応する図面である。
【図１２】（ａ）〜（ｂ）は、本発明の第４実施形態の横型ブラインドでの、図３（ａ）〜（ｂ）に対応する図である。
【図１３】本発明の第５実施形態の横型ブラインドでの、図３（ａ）に対応する図である。
【図１４】本発明の第６実施形態の巻取式の遮蔽装置であるたくし上げカーテンを示し、（ａ）は斜視図であり、（ｂ）は（ａ）中の支持ケース１１（ダンパ・プーリ・アッセンブリー）の内部構成を示す断面図である。
【図１５】（ａ）は、図１４の操作装置３８の近傍の断面図（支持棒６０については正面図）であり、（ｂ）は、支持棒６０近傍の断面図である。
【図１６】図１４の操作装置３８の近傍の斜視図である。
【図１７】図１５中のドラム４８の外周面の周方向の展開図である。
【図１８】本発明の第７実施形態の遮蔽装置である自重下降式のロールブラインドを示し、（ａ）は正面図、（ｂ）は右側面図である。
【図１９】本発明の第８実施形態の遮蔽装置であるスプリングアシスト式のロールブラインドを示し、（ａ）は正面図、（ｂ）は右側面図である。
【発明を実施するための形態】
【００１６】
以下、図面を用いて本発明の実施形態について説明する。以下に示す実施形態中で示した各種特徴事項は、互いに組み合わせ可能である。また、各特徴事項について独立して発明が成立する。
【００１７】
（第１実施形態）
以下、この発明を具体化した第１実施形態を図面に従って説明する。図１〜図７に示す横型ブラインドは、中空のヘッドボックス１から複数本のラダーコード２を介して複数段のスラット３が吊下支持され、同ラダーコード２の下端にはボトムレール４が吊下支持されている。ラダーコード２は、「スラット支持コード」の一形態である。「スラット支持コード」は、スラット３を支持及び回動可能なものであればその構成は限定されず、例えば、互いに分離された２本の縦糸を備え、一方の縦糸がスラットの一方の縁に取着され、他方の縦糸がスラットの他方の縁に取着されるような構成であってもよい。
【００１８】
ヘッドボックス１内には支持部材５が複数個配設され、その支持部材５にはチルトドラム６が回転可能に支持される。ラダーコード２の上端部は、チルトドラム６に取着され、そのチルトドラム６の中心部には角度調節軸７が全てのチルトドラム６に嵌挿されている。従って、角度調節軸７が回転されると、全てのチルトドラム６が回転され、そのチルトドラム６の回転にともなって、ラダーコード２の縦糸の一方が引き上げられることにより、各スラット３及びボトムレール４が同位相で角度調節される。
【００１９】
ヘッドボックス１の一端部には筒体からなる操作棒８が吊下支持されており、操作棒８の下端には支持ケース１１が設けられている。支持ケース１１を把持して操作棒８を回転操作すると、ヘッドボックス１内に配設されるギヤ機構を介して角度調節軸７が回転される。従って、操作棒８の回転操作により、各スラット３を角度調節可能となっている。支持ケース１１は、後述する回転抵抗体１５を支持するケースとして機能すると共に、操作棒８を回転操作しやすくするためのグリップとして機能する。
【００２０】
ヘッドボックス１からは複数本（本実施形態では３本）の昇降コード９ｌ，９ｃ，９ｒ（区別が不要な場合は単に「昇降コード９」と称する。）が吊下されており、各昇降コード９の一端はボトムレール４に取着される。各支持部材５には転向滑車２１が前後方向の軸心２３で軸支され、ヘッドボックス１に導入された昇降コード９がヘッドボックスの左右方向に転向案内可能となっている。また、各支持部材５は他の昇降コードを左右方向に通過可能な空間を有している。従って、図２に示すように、右端の昇降コード９ｒの他端は支持部材５で転向案内され、非操作側の昇降コード（図２では、左端及び中央の昇降コード９ｌ，９ｃ）は各支持部材５を経て、ヘッドボックス１内を操作棒８方向に案内される。そして、ヘッドボックス１内に設けられるストッパ部１６を経て、筒状の操作棒８内に挿通される。図４（ａ）に示すように、昇降コード９の他端は、接続部１３において、ボールチェーン１２の一端に接続されており、ボールチェーン１２の他端が支持ケース１１内の通路１１ｄを通ってコードイコライザ１０に取着される。昇降コード９とボールチェーン１２の接続方法は特に限定されず、昇降コード９とベースコード１２ａの接続であっても、昇降コード９とボール１２ｂとの接続であってもよい。昇降コード９とボールチェーン１２の接続方法としては溶着、接着、縫製、かしめ、結び留め、結び玉と孔との係合などが挙げられる。ボールチェーン１２は、ベースコード１２ａに沿って多数のボール１２ｂが略等間隔に配置されて構成される。本実施形態では、図３に示すように、昇降コード９とボールチェーン１２が接続されたコードが引張コード１９であり、ヘッドボックス１から導出されてボトムレール４に取着されている側が引張コード１９の支持側１９ｓであり、ヘッドボックス１から導出されてコードイコライザ１０に取着されている側が引張コード１９の操作側１９ｏである。図３に示すように、支持側１９ｓと操作側１９ｏは、ヘッドボックス１の別々の位置から導出されている。この例では、引張コード１９の操作側１９ｏを昇降コード９の導出位置とは異なる位置から導出させているが、いずれかの昇降コード９の導出位置と同じ位置から操作側１９ｏを導出させても良い。ボトムレール４の上昇に伴って、引張コード１９の支持側１９ｓの導出長が短くなり、引張コード１９の操作側１９ｏの導出長が長くなる。なお、引張コード１９の支持側１９ｓと操作側１９ｏは、ボトムレール４の高さ位置により変動する機能概念であり、引張コード１９のどの範囲が支持側１９ｓでどの範囲が操作側１９ｏであるか線引きできるものでなく、引張コードの同じ部位が支持側１９ｓにも操作側１９ｏにもなり得る。
【００２１】
ここで、支持ケース１１及びその内部の部材の構成について、図４〜図７を用いて詳細に説明する。
支持ケース１１は、支持ベース１１ａと、支持ベース１１ａに固定されるカバー１１ｂ（図１に図示）で構成される。支持ベース１１ａのプーリー軸受部１１ｅに回転伝達プーリー１４の円筒部１４ｆが挿入されて、回転伝達プーリー１４が支持ベース１１ａに対して回転可能に支持される。また、回転伝達プーリー１４の嵌合孔１４ｅには、回転抵抗体１５の断面非円形の中心軸１５ｂが嵌合されて、中心軸１５ｂが回転伝達プーリー１４と一体回転するようになっている。回転伝達プーリー１４の収容部１４ｄには回転抵抗体１５のケース１５ａが収容されるようになっている。
【００２２】
回転伝達プーリー１４には、環状の本体部１４ｇから径方向に突出する複数の（本実施形態では６個の）係合突起１４ａが周方向に等間隔に配置されており、隣接する２つの係合突起１４ａの間の凹部１４ｃの内面は、ボール１２ｂが係合される形状になっている。本体部１４ｇ及び係合突起１４ａは、支持ベース１１ａのプーリー収容部１１ｇ内に配置される。この状態で、ボールチェーン１２が通路１１ｄを通過するように移動すると、ボール１２ｂが凹部１４ｃに係合されて回転伝達プーリー１４が回転するようになっている。また、支持ケース１１の側壁１１ａ１で、ボール１２ａの径方向への逃げが抑えられている。また、各係合突起１４ａには、昇降コード９やボールチェーン１２のベースコード１２ａが挿通可能なコード挿通溝１４ｂが設けられている。図５（ｂ）に示すように、コード挿通溝１４ｂの幅Ｗは、ベースコード１２ａの直径よりも大きくなっていて、支持ケース１１の側壁１１ａ１と回転伝達プーリー１４の間にも隙間があり、ベースコード１２ａがコード挿通溝１４ｂに係合されないようになっている。コード挿通溝１４ｂに昇降コード９を係合させない場合には、コード挿通溝１４ｂの幅Ｗは、複数本の昇降コード９の直径の和より大きいことが好ましい。但し、図５（ｃ）に示すように、コード挿通溝１４ｂの幅Ｗが複数本（本実施形態では３本）の昇降コード９の直径の和よりも小さい場合でも、コード挿通溝１４ｂの内面と昇降コード９の間の摩擦によって発生するトルクが回転伝達プーリー１４の回転に必要な最小トルクよりも小さくなるようにすることによって、昇降コード９をコード挿通溝１４ｂに対して滑らせることができる。
【００２３】
回転抵抗体１５は、ケース１５ａと、ケース１５ａから軸方向に突出する中心軸１５ｂと、ケース１５ａから径方向に突出する回転規制突起１５ｃを備える。回転抵抗体１５は、回転規制突起１５ｃがカバー１１ｂに係合されることによって、カバー１１ｂに対して回転不能に固定される。なお、ケース１５ａとカバー１１ｂが別体でなく一体としてもよい。また、回転規制突起１５ｃとカバー１１ｂの嵌合凹部を省略してもよい。回転抵抗体１５は、中心軸１５ｂがケース１５ａに対して相対回転することによって回転抵抗を発生させるように構成されているので、回転伝達プーリー１４の回転に伴って中心軸１５ｂが回転すると回転抵抗が発生する。
【００２４】
回転抵抗体１５としては、中心軸１５ｂがケース１５ａに対して相対回転することによって回転抵抗を発生させるものであれば、その構成は特に限定されず、ケース１５ａ内に粘性流体（例：オイル）が収容されていて中心軸１５ｂの回転に伴って粘性流体内を移動部材（例：ピストン、羽、スクリュー）が移動（例：回転移動、直線移動；直線移動は中心軸の回転をネジ送りなどによりケース内部で直線移動に変換する機構を介する）することによって回転抵抗が発生するように構成されているものや、中心軸１５ｂの回転に伴って、中心軸１５ｂと共に回転するように構成された摩擦部材（例：ゴム・ガバナメタル）が遠心力によってケース１５ａの内面又はケース内に固定された面に押し付けられて摩擦抵抗が発生することによって回転抵抗が発生するように構成されているもの、相対移動又は回転する磁性体と金属、回転羽による空気抵抗ダンパが挙げられる。中心軸に対する回転入力がブラインドの上昇方向の場合、回転抵抗を減少させる又は生じさせないワンウェイ機能を備えることが好ましい。ワンウェイ機能は、回転抵抗体１５の外部、例えば、中心軸１５ｂとプーリーの間にワンウェイクラッチを設けて構成してもよく、回転規制突起１５ｃとカバー１１ｂの嵌合が上昇回転時に嵌合しない構成（共回り）としてもよい。また、回転抵抗体１５が、中心軸に対する回転入力の回転位置（又は所定の状態からの回転回数）に依存して抵抗値が変化する形式のもの（例えば、回転抵抗体１５の内部にある抵抗体が回転入力に伴って移動することによって抵抗値が変化するもの）である場合、遮蔽材の下降方向に回転するときに、回転回数の増大に伴って抵抗値が小さくなるよう変化するよう設定することが好ましい。
【００２５】
粘性流体内で移動部材が移動する際に生じる抵抗力を利用する構成のものは、構成がシンプルであるので、小型化が容易であるという利点がある。一方、遠心力を利用する構成のものは、中心軸１５ｂの回転速度が小さいときには回転抵抗が非常に小さくなるので、ボトムレール４が下限位置に近づいて下降速度が低下したときのブレーキ力が非常に小さくなる。このため、ボトムレール４が下限位置まで降りないという問題の発生を抑制することができる。
【００２６】
ここで、本実施形態の横型ブラインドの動作について説明する。
図１に示すように、ボトムレール４が下限位置にある状態では、図１〜図３（ａ）及び図４（ａ）に示すようにコードイコライザ１０が支持ケース１１の下面に当接されており、ボールチェーン１２のボール１２ｂが回転伝達プーリー１４の凹部１４ｃに係合されている。この状態で、引張コード１９の操作側１９ｏを引き下げると回転伝達プーリー１４が図４（ａ）の反時計回りに回転すると共に、ヘッドボックス１からの昇降コード９の導出長（つまり、引張コード１９の支持側１９ｓの導出長）が短くなって、図３（ｂ）に示すように、ボトムレール４が上昇する。回転伝達プーリー１４の回転に伴って回転抵抗体１５の中心軸１５ｂが回転するので、回転抵抗が発生する。このとき前述のワンウェイ機能を設ければ上昇時の回転抵抗を減じるか又は作用させないため、ワンウェイ機能を設けないときより上昇操作力を軽減させることができる。
【００２７】
引張コード１９の操作側１９ｏを引き続き引き下げ、接続部１３が回転伝達プーリー１４を通過した後は、昇降コード９が回転伝達プーリー１４のコード挿通溝１４ｂを通過する。本実施形態では、昇降コード９は、コード挿通溝１４ｂに係合されないので、昇降コード９の移動に伴って回転伝達プーリー１４は回転されない。
【００２８】
引張コード１９の操作側１９ｏが引き下げられてボトムレール４が上限位置付近にまで到達した後の状態を図３（ｂ）及び図４（ｂ）に示す。この状態で引張コード１９から手を離すとストッパ部１６が作動してボトムレール４が自重下降しないようにストッパ部１６が昇降コード９を保持する。
【００２９】
この状態で、引張コード１９の操作側１９ｏを少し引き下げるとストッパ部１６での昇降コード９のロック状態が解除されて、ボトムレール４が自重下降する。
【００３０】
ボトムレール４の自重下降に伴ってボールチェーン１２がヘッドボックス１に向かう方向に移動し、ボールチェーン１２が回転伝達プーリー１４に到達すると回転伝達プーリー１４が回転し始める。そして、回転伝達プーリー１４の回転に伴って回転抵抗体１５の中心軸１５ｂが回転すると回転抵抗が発生するので、ボールチェーン１２の移動にブレーキ力が加えられ、ボトムレール４の自重下降の速度が低減される。回転速度依存の回転抵抗体を用いた場合には遮蔽材の自重（本実施形態の場合はボトムレール４の重量と、ボトムレール４上に支持されているスラット３の重量の合計）が減少し、ボトムレール４の下降速度が減少するにつれ回転抵抗が減少し、ボトムレール４が下限まで降下する。回転位置依存の回転抵抗体を用いた場合には、ボトムレール４の位置が下がるにつれて（チェーンの係合位置が変化し）、回転抵抗体内部の抵抗体の位置が移動し、それに伴い中心軸の回転抵抗が減少してボトムレール４が下限まで降下する。
【００３１】
ところで、ストッパ部１６が昇降コード９を通過させるがボールチェーン１２を通過させないように構成されている場合、ボトムレール４の下降に伴ってボールチェーン１２がヘッドボックス１内に引きこまれてストッパ部１６に到達すると、ボールチェーン１２がストッパ部１６と干渉し、ボトムレール４の下降が停止してしまう。そこで、本実施形態では、ボトムレール４が下限位置に到達するまでにボールチェーン１２がストッパ部１６に到達しないように、好ましくはボールチェーン１２がヘッドボックス１に到達しないようにボールチェーン１２を配置している。このため、回転抵抗体１５を回転させることができる領域は、ボールチェーン１２の最初のボール１２ｂｓ（図４（ａ）に図示）が回転伝達プーリー１４に到達してからストッパ部１６又はヘッドボックス１に到達するまでのボールチェーン１２の移動距離に依存する。そして、この移動距離を長くするには、回転抵抗体１５をヘッドボックス１からできるだけ離れた位置に配置すればよく、このため、本実施形態では、回転抵抗体１５は、操作棒８の先端に取着された支持ケース１１に設けている。
【００３２】
既に設置されている横型ブラインドに対して、本実施形態の構成を適用する場合には、その横型ブラインドの操作棒、グリップ、昇降コードを本実施形態の操作棒８、支持ケース（ダンパ・プーリ・アッセンブリー）１１及び引張コード１９（昇降コード９とボールチェーン１２が接続されたコード）に交換すればよく、ヘッドボックス１内に新たな部品を配置する必要がない。従って、本実施形態の構成は、既に設置されている横型ブラインドに対して容易に適用することができる。また、ヘッドボックス１内には新たな部品を配置しないので、ヘッドボックス１が大型化されない。
【００３３】
本発明は、以下の態様でも実施可能である。
本発明は、遮蔽材がスラット以外である遮蔽装置にも適用可能である。この場合は、チルトドラムやシャフト、チルト回転伝達機構を省略すればよい。この場合、操作棒（本実施例ではチルト操作）ではなくなり、支持棒となる。
【００３４】
・上記実施形態では、操作棒の中へ昇降コード及びチェーンを挿通したが、挿通しなくても良い。例えばヘッドボックスから回転抵抗体を支持するための非筒状の支持部材を吊下支持させ、この支持部材に回転抵抗体を支持させるように構成してもよい。
・また、遮蔽装置に隣接した壁面等の躯体・躯体に固定的に設置される物体（窓枠等）に回転抵抗体を支持させるように構成してもよい。具体的には、図８に示す形態では、２本の昇降コード９ｌ，９ｒの一端がボトムレール４に取着され、その他端がヘッドボックス１内を通って操作棒８の吊下位置に隣接した位置に設けられたコード出口２６から導出されている。昇降コード９ｌ，９ｒの他端にはボールチェーン１２が接続されており、ボールチェーン１２の先端にはつまみ２７が取着されている。遮蔽装置である横型ブラインド３０に隣接した壁面に固定的に設置された窓枠２５には、支持ベース１１ａがビス２９などで固定される。支持ベース２８には回転伝達プーリー１４及び回転抵抗体１５が装着されてダンパ・プーリ・アッセンブリーが構成され、カバーが支持ベース２８に取り付けられる。このような形態においても、上記実施形態と同様にボールチェーン１２を回転伝達プーリー１４に係合させることによってボトムレール４の自重下降に伴って回転抵抗体１５に入力回転を加えて回転抵抗を発生させることができる。
・上記実施形態では、操作棒８の先端に取着された支持ケース１１（つまり、支持棒の先端部）に回転抵抗体１５を設けているが、回転抵抗体１５は、支持棒の別の位置に設けてもよい。
・本発明は、ボトムレールを有さない遮蔽装置（たくし上げカーテン、ロールアップブラインドなど）にも適用可能である。このような遮蔽装置でも、引張コードの支持側の導出長を変化させることによって遮蔽材を昇降させることができるからである。
・上記実施形態では、回転抵抗体１５のケース１５ａを固定し、中心軸１５ｂを回転させているが、中心軸１５ｂを固定してケース１５ａを回転させることによって回転抵抗を生じさせるように構成してもよい。また、この場合、回転伝達プーリー１４を用いる代わりに、ボールチェーン１２をケース１５ａの外周に係合させてケース１５ａを回転させることによって回転抵抗を発生させるようにしてもよい。
・上記実施形態ではボールチェーン１２の部分でのみ回転抵抗体１５に回転抵抗を発生させたが昇降コード９の回転抵抗体１５を通過する部分でも回転抵抗を発生させるようにしてボトムレール４の降下範囲の全長に回転抵抗を発生させても良い。例えば、コード挿通溝１４ｂの幅を狭くしたり、コード挿通溝１４ｂをＶ字状にしたりすることによって、昇降コード９がコード挿通溝１４ｂに係合して昇降コード９の移動に伴って回転伝達プーリー１４が回転するように構成することができる。
【００３５】
（第２実施形態）
図９を用いて、本発明の第２実施形態について説明する。本実施形態は第１実施形態に類似しており、以下、相違点を中心に説明する。
【００３６】
図９は、ボトムレール４が下限位置近傍にまで下降したときの、コードイコライザ１０と支持ケース（ダンパ・プーリ・アッセンブリー）１１の位置関係を示す。この状態では、コードイコライザ１０は、支持ケース１１の下面１１ｆの近くに配置されているが、下面１１ｆには当接していない。
【００３７】
自重下降式の遮蔽装置では、通常、ボトムレール４の下降に伴って遮蔽材の荷重をラダーコード２やヘッドボックス１が支持する割合が増大し昇降コード９に加わる荷重が減る。遮蔽装置には各部品の抵抗が必ずあり、プリーツスクリーンやハニカムスクリーンのように遮蔽材の屈曲状態を伸ばす方向に降下させる場合には遮蔽材自体の抵抗もあるため、その総抵抗に打ち勝つだけの荷重がボトムレール４に作用しないとボトムレール４が下限位置にまで降り切らないおそれがある。
【００３８】
このような現象を生じさせないために、本実施形態では、図９（ａ）に示すように、ボールチェーン１２の一番下のボール１２ｂｅが回転伝達プーリー１４を通過する時点では、図１０（ａ）に示すようにボトムレール４が下限位置に到達していないようにボール１２ｂｅを配置し、ボール１２ｂｅとコードイコライザ１０の間にボールを配置しない領域Ｒを設けている。このような構成によれば、第１実施形態と同様にボールチェーン１２の多数のボール１２ｂが回転伝達プーリー１４を通過中に、ボトムレール４の下降速度が適切な速度にまで減速され、ボール１２ｂｅが回転伝達プーリー１４を通過し、図９（ｂ）に示すように、ボールを配置しない領域Ｒが回転伝達プーリー１４を通過している間は回転伝達プーリー１４が回転しないので回転抵抗が発生せず、図１０（ｂ）に示すように、ボトムレール４が下限位置にまで到達しやすくなる。
【００３９】
（第３実施形態）
図１１を用いて、本発明の第３実施形態について説明する。本実施形態は第２実施形態に類似しており、以下、相違点を中心に説明する。
【００４０】
第２実施形態の構成では、ボール１２ｂｅが回転伝達プーリー１４を通過した後は回転抵抗が全く発生しないので、遮蔽装置の構成によってはボトムレール４の下降速度が大きくなりすぎる場合がある。
【００４１】
そこで、本実施形態では、図１１に示すように、ボールチェーン１２の特定のボール１２ｂｆが回転伝達プーリー１４を通過する時点ではボトムレール４が下限位置に到達していないようにボール１２ｂｆを配置し、ボール１２ｂｆとコードイコライザ１０の間はボール１２ｂを設けるピッチを大きく（例えば２倍の間隔と）し、その間は回転伝達プーリー１４と係合しないコード（例えばベースコード１２ａ）としている。このような構成によれば、ボール１２ｂｆが回転伝達プーリー１４を通過した後は回転伝達プーリー１４の回転速度が低減されるので、回転抵抗体１５が発生する回転抵抗が低減される。また、第２実施形態ではボール１２ｂｅが回転伝達プーリー１４を通過した後に回転抵抗が突然無くなったが、本実施形態では、ボール１２ｂｆが回転伝達プーリー１４を通過した後もある程度の回転抵抗が残るので、ボトムレール４の下降速度が大きくなりすぎることがない。従って、本実施形態によれば、ボトムレール４の下降速度が大きくなりすぎることなく、ボトムレール４が下限位置にまで到達させることができる。
【００４２】
本実施形態では、ボール１２ｂｆよりも下側でのボール１２ｂを設けるピッチＰＬは、ボール１２ｂｆよりも上側でのピッチＰＵの２倍以上が好ましい。１倍よりも大きく２倍未満であると、隣接する２つのボール１２ｂのうち１つのボール１２ｂが回転伝達プーリー１４の凹部１４ｃに係合されると、もう一つのボール１２ｂが凹部１４ｃには係合されずに係合突起１４ａに衝突しやすいからである。ピッチＰＬは、ピッチＰＵの整数倍（２倍、３倍など）であることが好ましい。
【００４３】
（第４実施形態）
図１２を用いて、本発明の第４実施形態について説明する。本実施形態は第１実施形態に類似しており、以下、相違点を中心に説明する。
【００４４】
本実施形態は、ボールチェーン１２の移動に伴って回転伝達プーリー１４が回転し、その回転が回転抵抗体１５に伝達されることによって回転抵抗が発生してボトムレール４の下降速度が低減される点は第１実施形態と共通している。一方、本実施形態では、回転伝達プーリー１４及び回転抵抗体１５は、ヘッドボックス１内に配置されている。回転伝達プーリー１４は、ヘッドボックス１に対して回転可能に支持されており、回転抵抗体１５のケース１５ａはヘッドボックス１に対して回転不能に支持されている。また、回転伝達プーリー１４に隣接して、回転伝達プーリー１４の外周面に沿った形状の内壁を有する押さえ体１０１が設けられている。ボールチェーン１２は、回転伝達プーリー１４と押さえ体１０１の間に挿通されている。ボトムレール４が自重下降する際にボールチェーン１２には回転伝達プーリー１４から離れる方向の力が加わるが、ボールチェーン１２が押さえ体１０１の内壁に当接することによってボールチェーン１２が径方向に逃げることが抑制され、ボールチェーン１２の移動に伴って回転伝達プーリー１４が確実に回転される。そして、回転伝達プーリー１４の回転に伴って回転抵抗体１５の中心軸１５ｂが回転すると、回転抵抗が発生する。本実施形態では、操作棒８の下端にグリップ５１が設けられている。グリップ５１は、操作棒８を回転操作しやすくするために設けられている。
【００４５】
また、ストッパ部１６は、昇降コード９を保持するのに適した構成を有しているため、ボトムレール４の可動範囲においてボールチェーン１２がストッパ部１６に到達すると、ストッパ部１６は、ボールチェーン１２を適切に保持できず、ボトムレール４が自重下降してしまう。そこで、本実施形態では、引張コード１９は、ボトムレール４の可動範囲（上限位置と下限位置の間）においてボールチェーン１２がストッパ部１６に到達しないようにヘッドボックス１内で引き回されている。ここで、図１２（ａ）を用いて、具体的な構成例を説明する。図１２（ａ）に示すように、ストッパ部１６がヘッドボックス１の略左端に配置されており、ヘッドボックス１の左端側には転向プーリー２０が配置され、回転伝達プーリー１４及び回転抵抗体１５がヘッドボックス１の右端側に配置されている。転向プーリー２０は、回転伝達プーリー１４と同様の構成を有する。引張コード１９は、転向プーリー２０及び回転伝達プーリー１４に掛装され、その操作側１９ｏが回転伝達プーリー１４側から垂下され、その支持側１９ｓがストッパ部１６を経由して垂下されている。
【００４６】
このような構成によれば、ストッパ部１６と回転伝達プーリー１４の間での引張コード１９の長さが長くなるので、図１２（ａ）に示すようにボトムレール４が下限位置にある状態ではストッパ部１６に昇降コード９が挿通され、且つ図１２（ｂ）に示すようにボトムレール４が上限付近にまで上昇させたときにボールチェーン１２が回転伝達プーリー１４に掛装されている状態にすることができる。このため、ボトムレール４を下降させないときはストッパ部１６でボトムレール４の自重下降を確実に防止しつつ、ボトムレール４を自重下降させる時はボトムレール４の下降速度を抑制することができる。
【００４７】
本発明は、以下の態様でも実施可能である。
・上記実施形態では、引張コード１９の操作側１９ｏが操作棒８内に挿通されているが、操作側１９ｏは、操作棒８内に挿通させる必要がなく、操作棒８の吊下位置とは別の場所から垂下させてもよい。
【００４８】
（第５実施形態）
図１３を用いて、本発明の第５実施形態について説明する。本実施形態は第１実施形態に類似しており、以下、相違点を中心に説明する。
【００４９】
本実施形態では、引張コード１９は、２本の昇降コード９と、１本のボールチェーン１２で構成されており、これらのコードは、互いに接続されていない。昇降コード９及びボールチェーン１２のそれぞれの一端はボトムレール４に取着され、それぞれの他端はコードイコライザ１０に取着されている。２本の昇降コード９はボトムレール４の幅方向の左右両側においてボトムレール４に取着され、ボールチェーン１２は、ボトムレール４の幅方向の中央においてボトムレールに取着されている。ストッパ部１６には、昇降コード９のみが挿通され、ボールチェーン１２は挿通されていない。ストッパ部１６が２本の昇降コード９の移動を阻止することによってボトムレール４の自重下降が防止される。なお、ストッパ部１６がボールチェーン１２の移動を阻止可能に構成されたものである場合には、昇降コード９とボールチェーン１２の両方、又はボールチェーン１２のみをストッパ部１６に挿通させて、ストッパ部１６によって保持させてもよい。
【００５０】
また、本実施形態では、回転伝達プーリー１４及び回転抵抗体１５は、ヘッドボックス１に固定されたプーリーボックス２２内に配置されている。回転伝達プーリー１４は、プーリーボックス２２に対して回転可能に支持されており、回転抵抗体１５のケース１５ａはプーリーボックス２２に対して回転不能に支持されている。このため、ボールチェーン１２の移動に伴って回転伝達プーリー１４が回転すると、その回転に伴って回転抵抗体１５の中心軸１５ｂが回転し、回転抵抗が発生する。
【００５１】
このように、本実施形態においても、ボトムレール４を下降させないときはストッパ部１６でボトムレール４の自重下降を確実に防止しつつ、ボトムレール４を自重下降させる時はボトムレール４の下降速度を抑制することができる。
【００５２】
本実施形態では、回転伝達プーリー１４及び回転抵抗体１５は、プーリーボックス２２内に配置したが、回転伝達プーリー１４及び回転抵抗体１５は、ボールチェーン１２の移動に伴って回転伝達プーリー１４を回転させることができる任意の位置に配置することができる。
【００５３】
（第６実施形態）巻取式への適用
図１４〜図１７を用いて、本発明の第６実施形態について説明する。第１〜第５実施形態では、紐引き式の遮蔽装置において、遮蔽材の自重下降に伴って従動（長手方向移動）する非ループ状のボールチェーンによって回転抵抗体に入力回転を加えているが、本実施形態では、巻取式の遮蔽装置において、遮蔽材の自重下降に伴って従動（周回移動）するループ状のボールチェーンによって回転抵抗体に入力回転を加えている。
【００５４】
図１４に示すたくし上げカーテンは、窓の上枠等に固定される中空のヘッドボックス１からカーテン生地３２が吊下支持され、そのカーテン生地３２の下端にはウェイトバー３３が取着されている。
【００５５】
ヘッドボックス１から複数本の昇降コード３４が吊下支持され、その昇降コード３４の下端は、取付部材３５を介してカーテン生地３２の下端部に取着されている。
【００５６】
昇降コード３４の上端は、ヘッドボックス１内に配設される昇降コード巻取装置３６に支持される。そして、ヘッドボックス１の一端から垂下されるループ状のボールチェーン（操作コード）３７を操作して、昇降コード巻取装置３６を駆動することにより、昇降コード３４が巻き上げられ、あるいは巻き戻される。従って、ボールチェーン３７の操作によりカーテン生地３２が昇降される。
【００５７】
ヘッドボックス１の一端には、ボールチェーン３７の操作により昇降コード巻取装置３６を駆動する操作装置３８が取着されている。その操作装置３８の具体的構成を説明すると、図１５（ａ）に示すように、操作装置３８のケース３９には合成樹脂で成形された操作プーリー４０が回転可能に支持され、その操作プーリー４０にボールチェーン３７が掛装されている。
【００５８】
操作プーリー４０の中心部には、ヘッドボックス１内に向かって突出する出力軸４１が一体に形成され、その出力軸４１の先端部には六角棒状の駆動軸４２が嵌着されている。
【００５９】
従って、操作プーリー４０が回転されると駆動軸４２が回転され、その駆動軸４２の回転に基づいて、昇降コード巻取装置３６により昇降コード３４が巻き上げられ、あるいは巻き戻される。
【００６０】
図１６に示すように、ケース３９には、略四角筒状の嵌挿部４３が形成され、その嵌挿部４３がヘッドボックス１の端部に嵌挿されている。嵌挿部４３内には、カーテン生地３２の自重降下防止装置として動作するストッパ４４が嵌挿されている。ストッパ４４のケース４５は、略円筒状に形成され、その外周面には中心を挟んで相対向する位置に凸部４６が形成されている。
【００６１】
嵌挿部４３の内面には、ストッパ４４のケース４５の外周面に沿う曲面が形成され、嵌挿部４３の４つの角部の内面には、ケース４５の凸部４６を回動不能に位置決めする凹部４７が形成される。
【００６２】
従って、ストッパ４４は凸部４６が嵌挿部４３内の凹部４７に係合する状態で嵌挿部４３内に回動不能に支持される。また、嵌挿部４３に対しストッパ４４をその前後方向を入れ代えて嵌挿することも可能である。
【００６３】
ストッパ４４のケース４５内には、ドラム４８が回転可能に支持され、そのドラム４８の中心部には出力軸４１が相対回転不能に嵌挿されている。出力軸４１の先端部には複数の割溝が形成され、各割溝間にバネ片４９が形成される。バネ片４９の先端部には返し５０が形成され、出力軸４１に嵌挿されたストッパ４４は、その返し５０により出力軸４１からの抜けが防止される。なお、バネ片４９を内側へ撓ませれば、ストッパ４４を出力軸４１から取り外し可能となっている。
【００６４】
ドラム４８の外周面にはその周面上を周回する断面半円状の案内溝５１が形成され、ケース４５の内周面には、同じく断面半円状のスライド溝５３がストッパ４４の中心軸方向に形成されている。
【００６５】
案内溝５１及びスライド溝５３との間には鋼球にてなるクラッチボール５５が配設されている。従って、ドラム４８が回転されると、クラッチボール５５は案内溝５１に沿ってドラム４８の外周面上を相対的に周回しながら、スライド溝５３に沿って移動する。
【００６６】
案内溝５１の構成を図１７に示す展開図に従って説明する。図１７において、ドラム４８がカーテン生地３２の引き上げ方向に回転されると、クラッチボール５５は案内溝５１上を相対的に矢印Ａ方向に移動する。また、ドラム４８がカーテン生地３２の引き下げ方向に回転されると、クラッチボール５５は案内溝５１上を相対的に矢印Ｂ方向に移動する。
【００６７】
ドラム４８の外周面一側には引き下げ溝５７が形成され、他側には引き上げ溝５８が形成される。引き下げ溝５７には、矢印Ａ方向に分岐する第一の戻り溝５９が連通し、その第一の戻り溝５９は引き上げ溝５８に対し矢印Ａ方向に合流している。
【００６８】
引き上げ溝５８には、矢印Ｂ方向に分岐するストップ溝５２が連通し、そのストップ溝５２は矢印Ｂ方向には係止部５４で行き止まりとなり、その係止部５４は、矢印Ａ方向に延びる第二の戻り溝５６を経て、引き下げ溝５７に合流している。
【００６９】
このように構成されたストッパ４４では、カーテン生地３２の引き上げ操作を行うとき、クラッチボール５５は引き上げ溝５８内を矢印Ａ方向に移動する。カーテン生地３２を所望位置まで引き上げた後、ボールチェーン３７を手放すと、カーテン生地３２の重量により、昇降コード３４が巻き戻されて、駆動軸４２及び出力軸４１を介してドラム４８が回転され、クラッチボール５５が引き上げ溝５８内を矢印Ｂ方向に移動すると、クラッチボール５５は係止部５４に係合して、ドラム４８の同方向へのそれ以上の回転が阻止される。従って、この状態ではカーテン生地３２の自重降下が阻止される。
【００７０】
この状態から、カーテン生地３２を下降操作する場合には、ボールチェーンを操作して、カーテン生地３２を僅かに引き上げれば、クラッチボール５５は係止部５４から第二の戻り溝５６を経て引き下げ溝５７内に案内される。すると、クラッチボール５５は引き下げ溝５７内を周回可能となるので、カーテン生地３２の自重による下降操作が可能となる。
【００７１】
また、クラッチボール５５が係止部５４に係合している状態から、さらにカーテン生地３２を引き上げる場合には、ボールチェーン３７をカーテン生地３２の引き上げ方向に操作すれば、クラッチボール５５は係止部５４から第二の戻り溝５６を経て引き下げ溝５７内に案内され、さらに第一の戻り溝５９を経て引き上げ溝５８内に案内される。従って、ボールチェーン３７によるカーテン生地３２の引き上げ操作が可能となる。
【００７２】
図１４〜図１６に示すように、操作装置３８のケース３９には、支持棒６０が取着されている。支持棒６０は、挿通孔６０ａを有する筒体であり、ボールチェーン３７が挿通孔６０ａ内に挿通されている。ボールチェーン３７は、挿通孔６０ａ内で支持棒６０の長手方向に沿って自由移動可能になっている。図１４に示すように、支持棒６０の下端には支持ケース（ダンパ・プーリ・アッセンブリー）１１が取着されている。図１４（ｂ）に示すように、支持ケース１１内には第１実施形態と同様に回転伝達プーリー１４及び回転抵抗体１５が収容されているが、本実施形態の支持ケース１１には、挿通孔６０ａに連通する開口部以外に、操作コード３７を上向きに案内する開口部１１ｋが設けられている。本実施形態のようにループ状の操作コード３７を支持ケース１１内に挿通する場合、開口部が下向きに形成されている場合、遮蔽材の自重下降に伴って操作コード３７が周回移動する際に操作コード３７が支持ケース１１に引っかかってしまうという不具合が発生する場合がある。一方、支持ケース１１の開口部を上向きに設けることによって、このような引っ掛かりを防ぐことができる。
【００７３】
カーテン生地３２が自重下降する際に、操作プーリー４０の出力軸４１が回転すると、操作プーリー４０に係合しているボールチェーン３７も周回移動する。ボールチェーン３７は、支持ケース１１内に収容された回転伝達プーリー１４に係合しているので、ボールチェーン３７の周回移動に伴って回転伝達プーリー１４が回転し、回転伝達プーリー１４の回転に伴って回転抵抗体１５が回転抵抗を発生させ、ボールチェーン３７の周回移動にブレーキ力が加えられる。
【００７４】
ところで、支持棒６０は、回動軸６２においてケース３９に取着されており、駆動軸４２に垂直な平面内において回動軸６２を中心に回動可能になっている。このような構成により、ボールチェーン３７を斜め手前方向に（部屋内側に斜め方向に）引いたときには支持棒６０が回動してボールチェーン３７が引かれる方向に追従するので、ボールチェーン３７を操作する際に支持棒６０が邪魔になりにくい。また、支持棒６０は、ユニバーサルジョイントを介してケース３９に取着してもよい。この場合、ボールチェーン３７をどのような方向に引いても支持棒６０が回動してボールチェーン３７が引かれる方向に追従するので、ボールチェーン３７を操作する際に支持棒６０がさらに邪魔になりにくい。
【００７５】
このように、本実施形態では、回転抵抗体１５をヘッドボックス１の外部に設けているので、ヘッドボックス１内に回転抵抗体を配置する空間を確保する必要がない。このため、ヘッドボックス１の小型化が可能になる。また、本実施形態の遮蔽装置は、遮蔽装置の幅方向（左右方向）寸法を小さくすることが可能になるので、スリット窓などの幅が小さい窓にも適用可能である。
【００７６】
本発明は、以下の態様でも実施可能である。
・支持棒６０を筒体にする代わりに、単に、支持ケース（ダンパ・プーリ・アッセンブリー）１１を支持する棒として機能させてもよい。この場合でも、ボールチェーン３７の周回移動に伴って回転抵抗体１５をさせることによってカーテン生地３２の下降速度の増大を抑制することができる。
・支持ケース（ダンパ・プーリ・アッセンブリー）１１は、図８に示す支持ベース１１ａと同様に、遮蔽装置に隣接した壁面等の躯体・躯体に固定的に設置される物体（窓枠等）に固定してもよい。
【００７７】
（第７実施形態）自動上昇式の遮蔽装置（ロールブラインド）への適用
図１８を用いて、本発明の第７実施形態について説明する。第１〜第６実施形態では、自重下降式の遮蔽装置において、遮蔽材の自重下降に伴って従動するボールチェーンによって回転抵抗体に入力回転を加えているが、本実施形態では、自動上昇式の遮蔽装置（ロールブラインド）において、遮蔽材の自重下降に伴って従動するボールチェーンによって回転抵抗体に入力回転を加えている。
【００７８】
図１８に示すように、本実施形態のロールブラインド８０では、一対のサイドブラケット７３ａ，７３ｂのそれぞれに支軸８８ａ，８８ｂが設けられており、支軸８８ａ，８８ｂによって巻取パイプ７４が回転可能に支持されている。巻取パイプ７４にスクリーン７５の一端が取着され、スクリーン７５の他端にはウェイトバー７６が取着されることによって、巻取パイプ７４にスクリーン７５吊下支持されている。支軸８８ａには巻取パイプ７４と同軸芯で操作プーリー７７が回転可能に支持されている。操作プーリー７７にはボールチェーン８７が掛装されている。操作プーリー７７の外周面は、ボールチェーン８７のボールに係合する凹凸形状になっており、操作プーリー７７にボールチェーン８７が係合されることによって、ボールチェーン８７の周回と操作プーリー７７の回転が同期されている。操作プーリー７７からは、ボールチェーン８７の第１及び第２部分８７ａ，８７ｂが垂れ下がっており、第１部分８７ａを引き下げることによって巻取パイプ７４をスクリーン７５の巻戻方向に回転させることができる。第１及び第２部分８７ａ，８７ｂは下端部分８７ｃでつながっている。
【００７９】
ロールブラインド８０に隣接した壁面に固定的に設置された窓枠８１には、支持ケース（ダンパ・プーリ・アッセンブリー）１１が固定されている。支持ケース１１の内部構造は、第１実施形態の支持ケース１１と同様であり、支持ケース１１内には第１実施形態と同様に回転伝達プーリー１４及び回転抵抗体１５が収容されている（図４〜図７に図示）。回転伝達プーリー１４はボールチェーン８７の第１部分８７ａの下端近傍で、ボールチェーン８７に係合されている。
【００８０】
巻取パイプ７４内には第６実施形態と同様の構成のストッパ４４が配置されている。但し、第６実施形態では、ケース４５が不動で、ドラム４８が回転されるように構成されているが、本実施形態では、ドラム４８を支軸８８ｂに固定して不動とし、ケース４５を巻取パイプ７４に固定している。そして、巻取パイプ７４の回転に伴ってケース４５をドラム４８に対して相対回転させることによってストッパ４４の作動と解除の切り替えを行うように構成されている。また、本実施形態では、ストッパ４４は、スクリーン７５の自動上昇を阻止するように構成されている。
【００８１】
巻取パイプ７４内にはスプリングモータ８９が配置されている。スプリングモータ８９はスクリーン７５の下降に伴って蓄勢されるように構成されている。
【００８２】
以下、本実施形態のロールブラインド８０の動作について説明する。
スクリーン７５が上限位置にある状態で、ボールチェーン８７の第１部分８７ａを引き下げると、巻取パイプ７４がスクリーン７５の巻戻方向に回転してスプリングモータ８９が蓄勢されながらスクリーン７５が巻き戻されて下降する。巻取パイプ７４の回転に伴ってストッパ４４のケース４５が回転し、この回転に伴ってクラッチボール５５が図１７の矢印Ａ方向に引き上げ溝５８内を移動する。
【００８３】
次に、ボールチェーン８７から手を離すと、スプリングモータ８９の付勢力によって巻取パイプ７４がスクリーン７５の巻取方向（図１８（ｂ）の矢印Ｕ方向）に回転を始める。巻取パイプ７４が回転すると、その回転に伴ってストッパ４４のケース４５が回転し、この回転に伴ってクラッチボール５５が図１７の矢印Ｂ方向に移動して係止部５４で係止されることによって巻取パイプ７４の回転が阻止される。このような作用によってスクリーン７５の自動上昇が阻止される。
【００８４】
この状態で、ボールチェーン８７の第１部分８７ａをさらに引き下げると、クラッチボール５５が図１７の矢印Ａ方向に移動して第二の戻り溝５６を通って引き下げ溝５７に入ってストッパ４４が解除される。そして、この状態でボールチェーン８７から手を離すと、スプリングモータ８９の付勢力によって巻取パイプ７４がスクリーン７５の巻取方向に回転すると共にクラッチボール５５が図１７の矢印Ｂ方向に引き下げ溝５７に沿って移動して、スクリーン７５が自動上昇する。
【００８５】
巻取パイプ７４がスクリーン７５の巻取方向に回転する際に、巻取パイプ７４と操作プーリー７７が一体回転し、操作プーリー７７の回転に伴ってボールチェーン８７が周回移動する。そして、ボールチェーン８７の周回移動に伴って回転伝達プーリー１４及び回転抵抗体１５が回転されて回転抵抗が発生し、スクリーン７５の自動上昇速度が低減される。
【００８６】
本実施形態によれば、スクリーン７５の自動上昇速度が低減されるので、スクリーン７５の自動上昇の際の騒音発生等の問題の発生を抑制することができる。
【００８７】
（第８実施形態）自重下降式のロールブラインドへの適用
図１９を用いて、本発明の第８実施形態について説明する。第７実施形態では、自動上昇式のロールブラインドにおいて、遮蔽材の自重下降に伴って従動するボールチェーンによって回転抵抗体に入力回転を加えているが、本実施形態では、自重下降式のロールブラインドにおいて、遮蔽材の自重下降に伴って従動するボールチェーンによって回転抵抗体に入力回転を加えている。
【００８８】
本実施形態のロールブラインド８０の構成は、巻取パイプ８０内にスプリングモータ８９が配置されていない点と、回転伝達プーリー１４がボールチェーン８７の第２部分８７ｂの下端近傍で、ボールチェーン８７に係合されている点、ストッパ４４がスクリーン７５の自重下降を阻止するように構成されている点を除くと、第７実施形態と同様である。
【００８９】
以下、本実施形態のロールブラインド８０の動作について説明する。
スクリーン７５が下限位置にある状態で、ボールチェーン８７の第２部分８７ｂを引き下げると、巻取パイプ７４がスクリーン７５の巻取方向に回転してスクリーン７５が巻取パイプ７４に巻き取られて上昇する。巻取パイプ７４の回転に伴ってストッパ４４のケース４５が回転し、この回転に伴ってクラッチボール５５が図１７の矢印Ａ方向に引き上げ溝５８内を移動する。
【００９０】
次に、ボールチェーン８７から手を離すと、スクリーン７５及びウェイトバー７６の自重によって巻取パイプ７４がスクリーン７５の巻戻方向（図１９（ｂ）の矢印Ｄ方向）に回転を始める。巻取パイプ７４が回転すると、その回転に伴ってストッパ４４のケース４５が回転し、この回転に伴ってクラッチボール５５が図１７の矢印Ｂ方向に移動して係止部５４で係止されることによって巻取パイプ７４の回転が阻止される。このような作用によってスクリーン７５の自重下降が阻止される。
【００９１】
この状態で、ボールチェーン８７の第２部分８７ｂをさらに引き下げると、クラッチボール５５が図１７の矢印Ａ方向に移動して第二の戻り溝５６を通って引き下げ溝５７に入ってストッパ４４が解除される。そして、この状態でボールチェーン８７から手を離すと、スクリーン７５及びウェイトバー７６の自重によって巻取パイプ７４がスクリーン７５の巻戻方向に回転すると共にクラッチボール５５が図１７の矢印Ｂ方向に引き下げ溝５７に沿って移動して、スクリーン７５が自重下降する。
【００９２】
巻取パイプ７４がスクリーン７５の巻戻方向に回転する際に、巻取パイプ７４と操作プーリー７７が一体回転し、操作プーリー７７の回転に伴ってボールチェーン８７が周回移動する。そして、ボールチェーン８７の周回移動に伴って回転伝達プーリー１４及び回転抵抗体１５が回転されて回転抵抗が発生し、スクリーン７５の自重下降速度が低減される。
【００９３】
本実施形態によれば、スクリーン７５の自動上昇速度が低減されるので、スクリーン７５の自重下降の際の騒音発生等の問題の発生を抑制することができる。
【符号の説明】
【００９４】
１：ヘッドボックス、２：ラダーコード、２１３：スラット、４：ボトムレール、５：支持部材、６：ドラム、７：角度調節軸、８：操作棒、９：昇降コード、１０：コードイコライザ、１１：支持ケース、１２：ボールチェーン、１３：接続部、１４：回転伝達プーリー、１５：回転抵抗体、１６：ストッパ部、１９：引張コード、１９ｓ：引張コードの支持側、１９ｏ：引張コードの操作側、２０：転向プーリー、２２：プーリーボックス、３７：ボールチェーン、３８：操作装置、４０：操作プーリー、６０：支持棒、６１：支持ケース、７４：巻取パイプ、７５：スクリーン、７７：操作プーリー、８７：ボールチェーン
【図１】
0006604753.tif 000002
【図２】
0006604753.tif 000003
【図３】
0006604753.tif 000004
【図４】
0006604753.tif 000005
【図５】
0006604753.tif 000006
【図６】
0006604753.tif 000007
【図７】
0006604753.tif 000008
【図８】
0006604753.tif 000009
【図９】
0006604753.tif 000010
【図１０】
0006604753.tif 000011
【図１１】
0006604753.tif 000012
【図１２】
0006604753.tif 000013
【図１３】
0006604753.tif 000014
【図１４】
0006604753.tif 000015
【図１５】
0006604753.tif 000016
【図１６】
0006604753.tif 000017
【図１７】
0006604753.tif 000018
【図１８】
0006604753.tif 000019
【図１９】
0006604753.tif 000020